(57)【要約】      （修正有）【課題】美観と趣味性を達成し、直接送風或いは出風間隙より異なる気流を送風できる扇風機を提供する。【解決手段】扇風機は、ケーシング１と、導流ユニット２と、電源供給ユニットを包含する。ケーシングには、第１磁性部品１１１を有する連結部１１が設けられる。導流ユニットは、第１磁性部品に対応する第２磁性部品２１１が設けられる導流部２１を備え、ケーシングを被覆して出風間隙２２を形成する。【選択図】図４
0003174468.tif 000002
【実用新案登録請求の範囲】
【請求項１】
扇風機において、
少なくとも一つの連結部が設けられ、該連結部との間にファン部品が接続並びに収容され、該連結部に少なくとも一つの第１磁性部品が設けられたケーシングと、
該第１磁性部品に対応する第２磁性部品が設けられた導流部を具え、該ケーシングに対応して該ケーシングを被覆すると共に出風間隙を形成する導流ユニットと、
該ファン部品に電気的に接続されて、該ファン部品に気流を出力させる電源供給ユニットと、
を包含し、該導流ユニットは該ケーシングに取り外し自在に取り付けられ、これにより異なる気流を形成することを特徴とする、扇風機。
【請求項２】
請求項１記載の扇風機において、該連結部にさらに係止部が設けられ、且つ該導流部に、該係止部に対応し係合される係止部材が設けられたことを特徴とする、扇風機。
【請求項３】
請求項１記載の扇風機において、該電源供給ユニットは直流電源出力或いは交流電源出力とされることを特徴とする、扇風機。
【請求項４】
請求項１記載の扇風機において、該電源供給ユニットは電池或いは外接式二次電池とされることを特徴とする、扇風機。
【請求項５】
請求項１記載の扇風機において、該電源供給ユニットはＵＳＢコネクタとされることを特徴とする、扇風機。
【請求項６】
請求項１記載の扇風機において、該導流部は略円弧形面とされることを特徴とする、扇風機。
【請求項７】
請求項１記載の扇風機において、該導流ユニットの該導流部と反対の一端に造形設計が設けられることを特徴とする、扇風機。
【請求項８】
請求項７記載の扇風機において、該導流ユニットの該導流部と反対の一端に顔面状の造形設計が設けられることを特徴とする、扇風機。
【請求項９】
請求項１記載の扇風機において、該ケーシングは造形設計を有することを特徴とする、扇風機。
【請求項１０】
請求項１記載の扇風機において、該ファン部品は羽根無しファンとされることを特徴とする、扇風機。
【考案の詳細な説明】
【技術分野】
【０００１】
本考案は一種の扇風機に係り、特に、導流ユニットを簡単に着脱でき、互いに異なる気流を形成できるものに関する。
【背景技術】
【０００２】
扇風機は節電、環境保護及び暑さを消すための家電用品であり、特に近年は、グローバルな温暖化などの議題が非常に重視され、エネルギー資源のコストが大幅にアップする状況で、もともと家電類中で最高の電力総使用量比率を占めるクーラーは、その使用量を減らさざるを得ず、節電、炭素減少の概念のもと、できるだけ扇風機を使用するのは省エネと炭素減少の良好な方法である。
【０００３】
ただし、周知の扇風機はケーシングに複数の入力ユニットが設けられ、これら入力ユニットはそれぞれファン部品と気流ガイド装置に接続され、これによりファン部品の気流出力の強弱を切り換えるか、気流をガイドして広範囲に送風する。気流ガイド装置は周知の羽根ガイド式、或いは扇風機ケーシングを駆動して回転させる装置があるが、しかし、上述の構成は、余分に多くの部品を増設する必要があり、コストを増し組立の難度を増す。ファン部品の気流出力の強弱を切り換えるには、入力ユニットによりファン部品に入力する電流を変化させ、これもまた電力の消費をもたらす。さらに、現在消費者は外観がよいか、目新しさ或いは面白さのある製品を使用する傾向にあり、周知の扇風機は僅かにケーシングに造形が設けられ、気流ガイド装置に美観設計を設けるか或いは趣向をこらすことは難しく、このため、消費者の購入意欲に影響を与えた。
【０００４】
これを鑑み、本考案者は扇風機の構造に対して研究と改良を重ね、良好な設計により上述の問題を改善し、並びに長期の研究開発及び不断の試験の後、本考案を創作した。
【考案の概要】
【考案が解決しようとする課題】
【０００５】
ゆえに、本考案は一種の扇風機を提供し、それは周知の扇風機の部品が多く且つ電力を浪費し、気流ガイド装置を外観がよく趣向をこらしたものとするのが難しい問題を解決する。
【課題を解決するための手段】
【０００６】
以上の目的を達成するため、本考案の提供する扇風機は、少なくとも一つの連結部が設けられたケーシングであって、該ケーシングと該連結部の間にファン部品が連結並びに収容され、該連結部に少なくとも一つの第１磁性部品が設けられた上記ケーシングと、導流ユニットであって、導流部を具え、該導流部に該第１磁性部品に対応する第２磁性部品が設けられ、該導流ユニットは該ケーシングを被覆すると共に出風間隙を形成する上記導流ユニットと、該ファン部品に電気的に接続されて該ファン部品が気流を出力するのに利用される電源供給ユニットと、を包含し、これにより、該導流ユニットは該ケーシングに対して容易に着脱でき、これにより異なる気流を形成できる。
【０００７】
以上の扇風機において、該連結部にさらに係止部が設けられ、且つ該導流部に、該係止部に対応する係止部材が設けられて相互に結合される。
【０００８】
以上の扇風機において、該電源供給ユニットは直流出力或いは交流出力とされ得る。
【０００９】
以上の扇風機において、該電源供給ユニットは電池或いは外接式二次電池とされ得る。
【００１０】
以上の扇風機において、該電源供給ユニットはＵＳＢコネクタとされ得る。
【００１１】
以上の扇風機において、該導流部は略円弧形面とされる。
【００１２】
以上の扇風機において、該導流ユニットの該導流部と反対の一端に造形設計が設けられる。
【００１３】
以上の扇風機において、該導流ユニットの該導流部と反対の一端の造形は顔面態様とされる。
【００１４】
以上の扇風機において、該ケーシングは造形設計を有するものとされ得る。
【００１５】
以上の扇風機において、該ファン部品は羽根無しファンとされ得る。
【考案の効果】
【００１６】
以上の設置により、該ファン部品の出力する気流は導流ユニットの着脱により、直接送風されるか或いは出風間隙より送風される異なる気流とされ、且つ第１磁性部品と第２磁性部品の設置により、簡単に導流ユニットを着脱でき、さらに、該導流ユニットとケーシングは造形設計を有し、該導流ユニットの該導流部と反対の一端の造形は顔面態様とされ、本考案の全体はまたこれにより人物造形とされ得て、美観設計と趣味性を有するものとされる。
【図面の簡単な説明】
【００１７】
【図１】本考案の組立図である。
【図２】本考案の第１実施例の分解図である。
【図３】本考案の第１実施例の、ファン部品が羽根無し式ファンとされた立体分解図である。
【図４】本考案の導流ユニット取付け時の断面と気流表示図である。
【図５】本考案の導流ユニット取外し時の断面と気流表示図である。
【図６】本考案の第２実施例の導流ユニット取付け時の断面と気流表示図である。
【図７】本考案の第３実施例の正面図である。
【図８】本考案の第３実施例の後面図である。
【図９】本考案の第３実施例の電源供給ユニットがＵＳＢコネクタとされてコンピュータに接続された表示図である。
【図１０】本考案の第３実施例の電源供給ユニットが外接式プラグとされた表示図である。
【考案を実施するための形態】
【００１８】
本考案は一種の扇風機を提供し、ここに数種類の実施例を提示し並びに図面を参照し、本考案の理解を深める。
【００１９】
まず、図１及び図２を参照されたい。これらは本考案の第１実施例であり、本考案は一種の扇風機であって、それはケーシング１であって、少なくとも一つの連結部１１が設けられ、該ケーシング１と該連結部１１の間にファン部品１２が設けられ、該ファン部品１２はまた図３に示されるように羽根無しファンとされてもよく、且つ該連結部１１に少なくとも一つの第１磁性部品１１１が設けられた、上記ケーシング１と、導流ユニット２であって、略円弧面の導流部２１を具え、該導流部２１に該第１磁性部品１１１に対応する第２磁性部品２１１が設けられ、これにより該導流ユニット２が該ケーシング１に対応してそれを被覆し並びに出風間隙２２を形成する、上記導流ユニット２と、電源供給ユニット３（図８のとおり）であって、該ファン部品１２と電気的に接続され、該ファン部品１２の気流出力に利用され、該電源供給ユニット３は、直流電源出力或いは交流電源出力とされ、且つ該電源供給ユニット３は電池、外接式二次電池、コンピュータに接続されるＵＳＢコネクタ或いは外接式プラグとされ、これにより本考案は広い適用性を達成する、上記電源供給ユニット３と、を包含する。
【００２０】
上述の設置により、図４に示される本考案の操作方式を合わせて参照されたいが、該導流ユニット２が該ケーシング１と組み合わされた状態とされ、該第１磁性部品１１１と第２磁性部品２１１は相互に吸着している。この時、該導流ユニット２は該ケーシング１を被覆し、且つ出風間隙２２を形成する。該ファン部品１２が動作する時、気流は導流部２１の円弧面に沿って該出風間隙２２より送出される。このとき、気流は、図４に示される矢印方向のように、略拡散状を呈し、使用者に向けて送られる気流の風力は比較的弱いが広い範囲に及ぶ。
【００２１】
続いて図５を参照されたい。使用者が導流ユニット２を、ケーシング１より取り外す時、導流ユニット２とケーシング１の間は、僅かに第１磁性部品１１１と第２磁性部品２１１の相互吸着により結合されているため、取り外しが容易である。並びに導流ユニット２を取り外した後、該ファン部品１２の送出する気流は、該導流ユニット２により遮蔽されないため、使用者にとっては、直接送り出される気流の風力は比較的強い。
【００２２】
本考案の第２実施例の第１実施例との違いは、図６に示されるように、該連結部１１にさらに係止部１１２が設けられ、且つ該導流部２１に該係止部１１２に対応する係止部材２１２が設けられ、これにより、該導流ユニット２とケーシング１が比較的緊密に脱落しにくく結合されることにある。
【００２３】
本考案の第３実施例は、図７及び図８を参照されたい。その第１実施例との違いは、第３実施例においては、該ケーシング１が造形設計を有し、且つ該導流ユニット２の該導流部２１と反対の一端にも造形設計が設けられ、該造形は顔面とされ得て、該ケーシング１が人物造形とされ得て、該導流ユニット２の該導流部２１と反対の一端が、すなわち、人物造形の顔の設計とされ、本考案が美観性を具備するものとされることである。使用者は該顔面設計の導流ユニット２を取り外して気流を変更でき、これにより、趣味性が達成される。さらに図９に示されるように、該電源供給ユニット３はＵＳＢコネクタとされ並びにコンピュータと接続される時、装飾のファンとされ得る。また、図１０に示されるように該電源供給ユニット３がＵＳＢコネクタとされる時、さらに外接式プラグと接続され得て、美観、装飾、趣味性及び広い適用性の作用効果を具備する。
【００２４】
総合すると、本考案が確実に達成する作用効果は以下のとおりである。
１．該導流ユニット２のケーシング１への取付けと取り外しにより、直接送風或いは出風間隙２２より送風の異なる気流を達成でき、周知の扇風機に必要な余分な部品と電力にかかるコストを解決する。
２．本考案の電源供給ユニット３は直流出力或いは交流出力とされ得て、且つ該電源供給ユニット３は電池、外接式二次電池、或いはコンピュータに接続されたＵＳＢコネクタとされ得て、良好な適用性を有している。
３．該導流ユニット２及びケーシング１の間は、第１磁性部品１１１と第２磁性部品２１１の相互吸着により結合され、ゆえに簡単に着脱でき、また、係止部１１２と係止部材２１２の設置により、比較的強固な組合せを達成する。
４．ケーシング１は人物造形を呈し得て、導流ユニット２の該導流部２１と反対の一端は人物造形に対応する顔面造形とされ、これにより本考案はさらに美観性を有し、使用者は該顔面設計の該導流ユニット２を取り外して気流を変更でき、これにより遊び心のある趣味性を達成できる。
【００２５】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００２６】
１  ケーシング
１１  連結部
１１１  第１磁性部品
１１２  係止部
１２  ファン部品
２  導流ユニット
２１  導流部
２１１  第２磁性部品
２１２  係止部材
２２  出風間隙
３  電源供給ユニット
【図１】
0003174468.tif 000003
【図２】
0003174468.tif 000004
【図３】
0003174468.tif 000005
【図４】
0003174468.tif 000006
【図５】
0003174468.tif 000007
【図６】
0003174468.tif 000008
【図７】
0003174468.tif 000009
【図８】
0003174468.tif 000010
【図９】
0003174468.tif 000011
【図１０】
0003174468.tif 000012